(57)【要約】      （修正有）【課題】簡単な構成によりアンダーカット音孔に形成し音色を向上させるリコーダーを提供する。【解決手段】中部管の管体２０の音孔２２の開設位置に、音孔リング２２となる孔Ｒ１３を備える音孔リングＲ１が装着される音孔リング装着孔Ｈ１を設け、音孔リングＲ１を音孔リング装着孔Ｈ１に装着した際に、音孔リングＲ１の孔Ｒ１３を、管体２０の表面２０ａから内孔に向かって広がる逆テーパ状のアンダーカット音孔とした。【選択図】図４
0003213757.tif 000002
【実用新案登録請求の範囲】
【請求項１】
頭管部に発音源を備え、内部を中空とした中部管の管体に複数個の音孔が形成されるプラスチック製のリコーダーにおいて、
上記管体の上記音孔の少なくとも１以上の開設位置には、上記音孔となる孔を備える音孔リングが装着される音孔リング装着孔が設けられており、
上記音孔リングは、その表面が上記管体の外径の一部をなす曲面状に、その底面が上記管体の内径の一部をなす曲面状にそれぞれ形成されているとともに、上記音孔リングの上記孔の内周面が上記表面から上記底面に向かって広がる逆テーパ状に形成されており、
上記音孔リングは、所定の位置決め手段を介して上記音孔リング装着孔に装着固定されることを特徴としている。
【請求項２】
上記位置決め手段は、上記音孔リングに設けられる少なくとも一つのガイド片と、上記音孔リング装着孔に設けられる少なくとも一つのガイド溝とからなることを特徴とする請求項１に記載のリコーダー。
【請求項３】
上記音孔リングは、上記複数個の音孔のうち、少なくとも０番，２番，３番，５番の４つの音孔の開設位置に形成された音孔リング装着孔に装着されることを特徴とする請求項１または２に記載のリコーダー。
【考案の詳細な説明】
【技術分野】
【０００１】
本考案は、ＡＢＳ樹脂等からなるプラスチック製のリコーダーに関し、さらに詳しく言えば、良好な音質と発音とを実現できる、いわゆるアンダーカット音孔を備えるリコーダーに関するものである。
【背景技術】
【０００２】
リコーダーの管には、メープル、つげ等の比較的柔らかい木材からなるもの、紫檀や黒檀のような堅い木材からなるもの等が挙げられるが、木製のリコーダーは、木材が温度の変化などで割れるおそれがあるため、日常のメンテナンスが欠かせない。
【０００３】
そこで、現在では、割れにくくメンテナンスも容易なＡＢＳ樹脂等のプラスチック製のリコーダーが普及している。なお、プラスチック製のリコーダーは、金型成形により製造され量産ができるため、比較的安価に提供されている。
【０００４】
一般的なリコーダーは、歌口を最上部として、頭部管、中部管、足部管の３つの部分から構成されており、携帯時や保管時には分解可能となっている。そのうち、中部管は中空の管状体からなり、その長手方向に沿って複数個の音孔が設けられている。
【０００５】
一般に、リコーダー等の管楽器は、発音源（リコーダーでは歌口）から発する空気の振動により管体の内孔の空気を振動させ音を発生させるようにしている。そして、これらの音は、音孔を開閉することにより管体内孔の空気振動の長さを変化させて、音の高さが変わるようにしている。すなわち、音程は、管体の長さ、内径、音孔の位置と大きさの相互関係によって決定される。
【０００６】
特に、音孔は、振動している空気の長さの一方の端部を受け持つことになり、音孔の位置や大きさ、形状が管体内孔の空気振動に大きな影響を与えることになる。そのため、音孔には、従来より、音色を向上させるためにアンダーカットという工法が施されることが知られている。
【０００７】
アンダーカットとは、音孔の内部の角を少し削り、音孔の内側を奥に広がるようなテーパ状（管体表面から見て逆テープ状）に削ることをいい、これにより、管体表面に開口する音孔が小さくとも管体内孔の空気振動を外気に開放させ、音量のある、優れた音質を得るようにしている。
【０００８】
しかしながら、プラスチック製のリコーダーでは、手作業で作成される木製のリコーダーとは異なり、金型成形により製造されるため、金型にアンダーカットのような微細な細工を施すことは難しい。
【０００９】
一般に、プラスチック製のリコーダーにおける音孔では、管体表面から管体内孔に向けて、管体の肉厚を円筒形に開口する孔としているため、音孔の管体表面側と管体内孔側が角部となる。そのため、この角部が管体内孔の空気振動を外気に開放するのに抵抗となってスムーズな開放ができない。
【００１０】
この場合、スムーズな開放を行うためには音孔を大きくすれば良いが、管体に開けることができる音孔の大きさは限られているため、音孔を大きくすることができない場合には、例えば、音量が小さくなるといった問題が指摘されている。
【００１１】
また、音孔に事後的にアンダーカットを施すこともできるが、アンダーカットは、通常刃物を用いた手作業により行われるため熟練性が要求されるとともに、均一な精度調整が難しく、能率的な生産ができないという問題もあった。
【考案の概要】
【考案が解決しようとする課題】
【００１２】
本考案は、上記従来技術の問題に鑑みてなされたもので、その目的は、プラスチック製のリコーダーにおいて、簡単な構成により良好な音質と発音とが実現可能ないわゆるアンダーカット音孔を備えるリコーダーを提供することにある。
【課題を解決するための手段】
【００１３】
上記課題を解決するため、本考案は、頭管部に発音源を備え、内部を中空とした中部管の管体に複数個の音孔が形成されるプラスチック製のリコーダーにおいて、
上記管体の上記音孔の少なくとも１以上の開設位置には、上記音孔となる孔を備える音孔リングが装着される音孔リング装着孔が設けられており、
上記音孔リングは、その表面が上記管体の外径の一部をなす曲面状に、その底面が上記管体の内径の一部をなす曲面状にそれぞれ形成されているとともに、上記音孔リングの上記孔の内周面が上記表面から上記底面に向かって広がる逆テーパ状に形成されており、
上記音孔リングは、所定の位置決め手段を介して上記音孔リング装着孔に装着固定されることを特徴としている。
【００１４】
本考案において、上記位置決め手段を、上記音孔リングに設けられる少なくとも一つのガイド片と、上記音孔リング装着孔に設けられる少なくとも一つのガイド溝とするとよく、また、上記音孔リングを、上記複数個の音孔のうち、少なくとも０番，２番，３番，５番の４つの音孔の開設位置に形成された音孔リング装着孔に装着することが好ましい。
【考案の効果】
【００１５】
本考案によれば、管体の音孔リング装着孔にアンダーカットを有する音孔リングを装着し、例えば、超音波溶着により固定するという簡単な作業により、正確な音程・音質を実現できる、いわゆるアンダーカット音孔を備えるリコーダーを提供することができる。
【００１６】
この場合、位置決め手段として、音孔リングにガイド片を、音孔リング装着孔にはガイド片を案内するガイド溝を設けることにより、音孔リングを音孔リング装着孔に容易に位置合わせすることができる。
【００１７】
また、音孔リングを２以上装着させる場合には、各音孔リングごとに位置の異なるガイド片を形成し、音孔リング装着孔にこれに対応するガイド溝を設ければ、例えば、特定の音孔を構成する音孔リングが、誤って他の音孔を構成する音孔リング装着孔に装着されることを回避できる。
【００１８】
さらに、本考案において、音孔リングを音孔リング装着孔に装着する箇所を、特に音色に影響を与える０番，２番，３番，５番の音孔の開設位置とするとよく、これにより、より優れた音色を実現することができる。
【図面の簡単な説明】
【００１９】
【図１】一般的なリコーダーの全体を表す（ａ）正面図、（ｂ）背面図。
【図２】本考案に係るリコーダーの管体（中部管）と音孔リングとの関係を模式的に示す説明図。
【図３】図２におけるＡ−Ａ線断面図。
【図４】本考案に係る音孔リングと音孔リング装着孔とを模式的に示す斜視図。
【図５】本考案に係る音孔リングの一例を示す（ａ）平面図、（ｂ）側面図、（ｃ）底面図、（ｄ）（ａ）におけるＢ−Ｂ線断面図。
【図６】本考案に係る音孔リングの一例を示す（ａ）平面図、（ｂ）側面図、（ｃ）底面図、（ｄ）（ａ）におけるＣ−Ｃ線断面図。
【考案を実施するための形態】
【００２０】
次に、図１ないし図６により、本考案の実施形態について説明するが、本考案はこれに限定されるものではない。
【００２１】
図１を参照して、本実施形態に係るリコーダーは、他の一般的なリコーダーと同様に、頭部管１、中部管２および足部管３から構成されるＡＢＳ樹脂等のプラスチック製のリコーダーである。なお、本実施形態において、頭部管１および足部管３は、他の一般的な頭部管および足部管と同じで構成であってよいため、その説明省略している。
【００２２】
中部管２は内部が中空とされた管状の管体２０からなり、管体２０の表面２０ａには、その長さ方向に沿って複数個の音孔２１，２２，２３，２４，２５，２６ａ，２６ｂが、その裏面２０ｂには、音孔２１とほぼ対向する位置に音孔２７が設けられる。
【００２３】
具体的には、管体２０の表面２０ａに、いわゆる１番から６番の７つの音孔２１（１番），音孔２２（２番），音孔２３（３番），音孔２４（４番），音孔２５（５番），音孔２６ａ，２６ｂ（６番）が、また、管体２０の裏面２０ｂにはいわゆる０番の音孔２７（０番）が形成される。
【００２４】
本実施形態においては、図２および図３に示すように、複数個の音孔のうち、音孔２２（２番），音孔２３（３番），音孔２５（５番）および音孔２７（０番）は、音孔リングＲ１，Ｒ２，Ｒ３，Ｒ４を介して形成される。
【００２５】
この例において、音孔リング１，Ｒ２，Ｒ３，Ｒ４は、管体１０の音孔２２（２番），音孔２３（３番），音孔２５（５番）および音孔２７（０番）の音孔開設位置に形成された音孔リング装着孔Ｈ１，Ｈ２，Ｈ３，Ｈ４に装着されることにより、音孔２２（２番），音孔２３（３番），音孔２５（５番）および音孔２７（０番）を形成するようにされている。
【００２６】
なお、複数個の音孔のうち、音孔２１（１番），音孔２４（４番）および音孔２６ａ，２６ｂ（６番）は、従来の他の一般的な音孔と同様に、管体２０の表面２０ａから管体２０の内孔２８側に向かう円筒形の開口として形成されている。
【００２７】
本実施形態において、音孔リングＲ１，Ｒ２，Ｒ３，Ｒ４は、音孔２２（２番），音孔２３（３番），音孔２５（５番）および音孔２７（０番）の音程が発音可能な大きさにそれぞれ形成されているが、それらの基本的構成は同じであるため、図４に示す音孔リングＲ１および音孔リングＲ２を例として説明する。
【００２８】
また、同様に、音孔リング装着孔Ｈ１，Ｈ２，Ｈ３，Ｈ４も音孔リングＲ１，Ｒ２，Ｒ３，Ｒ４が装着可能な大きさおよび形状にそれぞれ形成されているが、それらの基本的構成は同じであるため、図４に示す音孔リング装着孔Ｈ１および音孔リング装着孔Ｈ２を例として説明する。
【００２９】
図４には、音孔リングＲ１および音孔リングＲ２を音孔リング装着孔Ｈ１および音孔リング装着孔Ｈ２へと装着する例が示されている。この例において、音孔リングＲ１，Ｒ２は、リング形状のフランジ部Ｒ１１，Ｒ２１と、フランジ部Ｒ１１，Ｒ２１より小径のリング形状を呈する軸部Ｒ１２，Ｒ２２とから一体的に形成されている。
【００３０】
音孔リングＲ１，Ｒ２には、フランジ部Ｒ１１，Ｒ２１から軸部Ｒ１２，Ｒ２２のほぼ中央を貫通する孔Ｒ１３，Ｒ２３が設けられており、このＲ１３，Ｒ２３が、音孔リングＲ１，Ｒ２が音孔リング装着孔Ｈ１，Ｈ２に装着された際に音孔２２（２番），音孔２３（３番）とされる。
【００３１】
この例において、孔Ｒ１３，Ｒ２３は、図５（ｄ）および図６（ｄ）に示すように、フランジ部Ｒ１１，Ｒ２１の一方の面Ｒ１１ａ，Ｒ２１ａから軸部Ｒ１２，Ｒ２２の一方の面Ｒ１２ａ，Ｒ２２ａに向かって広がる逆テーパ状に形成されている。
【００３２】
また、音孔リングＲ１，Ｒ２は、フランジ部Ｒ１１，Ｒ２１の一方の面（管体２０の表面２０ａ側に表出する面）Ｒ１１ａ，Ｒ２１ａが管体２０の表面２０ａの径の一部をなす曲面状に形成されているとともに、軸部Ｒ１２，Ｒ２２の一方の面（管体２０の内孔２８側に表出する面）Ｒ１２ａ，Ｒ２２ａが管体２０の内孔２８の径の一部をなす曲面状に形成されている。
【００３３】
この場合、音孔リングＲ１，Ｒ２と音孔リング装着孔Ｈ１，Ｈ２には、音孔リングＲ１，Ｒ２を音孔リング装着孔Ｈ１，Ｈ２の正しい位置に装着するための位置決め手段が設けられている。
【００３４】
この例では、音孔リングＲ１には、図５に示すように、フランジ部Ｒ１１から軸部Ｒ１２の外周に沿って２つのガイド片Ｒ１４，Ｒ１４が、また、音孔リングＲ２には、図６に示すように、フランジ部Ｒ２１から軸部Ｒ２２の外周に沿って１つのガイド片Ｒ２４が設けられている。
【００３５】
音孔リング装着孔Ｈ１，Ｈ２は、音孔リングＲ１，Ｒ２のフランジ部Ｒ１１，Ｒ２１が嵌着される凹部Ｈ１１，Ｈ２１と、凹部Ｈ１１，Ｈ２１のほぼ中央に設けられ、音孔リングＲ１，Ｒ２の軸部Ｒ１２，Ｒ２２が嵌着される孔部Ｈ１２，Ｈ２２が設けられている。
【００３６】
また、音孔リング装着孔Ｈ１，Ｈ２には、図４および図５に示すように、音孔リングＲ１，Ｒ２のガイド片Ｒ１４，Ｒ２４が挿通されるガイド溝１３，２３が、凹部Ｈ１１，Ｈ２１から管体２０の内孔２８に向かって設けられている。
【００３７】
そのため、音孔リングＲ１を音孔リング装着孔Ｈ１に装着するにあたっては、音孔リングＲ１のガイド片Ｒ１４，Ｒ１４と音孔リング装着孔Ｈ１のガイド溝Ｈ１３，Ｈ１３とを位置合わせし、音孔リングＲ１の軸部Ｒ１２側から音孔リング装着孔Ｈ１の孔部Ｈ１２へと挿通させるという簡単な手順により、音孔リングＲ１の孔Ｒ１３を音孔２２（２番）として形成することができる。
【００３８】
また、同様に、音孔リングＲ２を音孔リング装着孔Ｈ２に装着するにあたっては、音孔リングＲ２のガイド片Ｒ２４と音孔リング装着孔Ｈ２のガイド溝２３とを位置合わせし、音孔リングＲ２の軸部Ｒ２２側から音孔リング装着孔Ｈ２の孔部Ｈ２２へと挿通させるという簡単な手順により、音孔リングＲ２の孔２３を音孔２３（３番）として形成することができる。
【００３９】
この場合、図５および図６に示すように、音孔リングＲ１，Ｒ２の孔１３，２３には、あらかじめ逆テーパ状のアンダーカットが形成されているため、音色を向上させることができるとともに、事後的に熟練を要するアンダーカットを施す必要がないため、量産が可能でありコストを低下させることができる。
【００４０】
また、音孔リングＲ１，Ｒ２のフランジ部Ｒ１１，Ｒ２１の一方の面Ｒ１１ａ，Ｒ２１ａおよび音孔リングＲ１，Ｒ２の軸部Ｒ１２，Ｒ２２の一方の面Ｒ１２ａ，Ｒ２２ａは、管体２０の表面２０ａの径および内孔２８の径の一部をなす曲線状に形成されているため、音孔リングＲ１，Ｒ２が管体２０の表面２０ａおよび内孔２８から突出することなく、管体２０と同一の肉厚に構成されている。
【００４１】
そのため、管体２０の内孔２８内には、発音源（頭部管１の歌口１１）から発せられる空気の振動を妨げる障害物がなく、管体２０の内孔２８の空気振動を外気に開放する際の抵抗を少なくすることができるため、良好な発音と音程を実現することができる。
【００４２】
なお、上記実施形態では、コストも考慮して、音孔リングＲ１，Ｒ２，Ｒ３，Ｒ４を音孔リング装着孔Ｈ１，Ｈ２，Ｈ３，Ｈ４に装着させるようことにより、特に音色に影響を与える音孔２２（２番），音孔２３（３番），音孔２５（５番）および音孔２７（０番）を形成するようにしているが、これに限られることはなく、他の音孔２１（１番），音孔２４（４番）等にも適用可能である。
【００４３】
また、上記実施形態では、音孔リングＲ１，Ｒ２と音孔リング装着孔Ｈ１，Ｈ２の位置決め手段として、ガイド片Ｒ２４とガイド溝Ｈ２４を設けた例で説明したが、それらの数および位置は上記実施形態に限られることはなく、音孔リングおよび音孔リング装着孔ごとに数、位置、大きさ等を適宜変更してもよい。
【００４４】
さらに、音孔リングを２以上装着させる場合には、各音孔リングごとに位置の異なるガイド片を形成し、音孔リング装着孔にこれに対応するガイド溝を設ければ、例えば、特定の音孔を構成する音孔リングが、誤って他の音孔を構成する音孔リング装着孔に装着されることを回避できる。
【００４５】
上記したように、本考案によれば、あらかじめアンダーカットを有する音孔リングを管体の音孔リング装着孔に装着し、例えば、超音波溶着により固定するという簡単な作業により、正確な音程・音質を実現できる、いわゆるアンダーカット音孔を備えるリコーダーを提供することができる。
【符号の説明】
【００４６】
２  中部管
２０  管体
２１〜２７  音孔
２８  内孔
Ｈ１，Ｈ２，Ｈ３，Ｈ４  音孔リング装着孔
Ｈ１１，Ｈ２１，Ｈ３１，Ｈ４１  凹部
Ｈ１２，Ｈ２２，Ｈ３２，Ｈ４２  孔部
Ｈ１３，Ｈ２３，Ｈ３３，Ｈ４３  ガイド溝
Ｒ１，Ｒ２，Ｒ３，Ｒ４  音孔リング
Ｒ１１，Ｒ２１  フランジ部
Ｒ１２，Ｒ２２  軸部
Ｒ１３，Ｒ２３  孔（音孔）
【図１】
0003213757.tif 000003
【図２】
0003213757.tif 000004
【図３】
0003213757.tif 000005
【図４】
0003213757.tif 000006
【図５】
0003213757.tif 000007
【図６】
0003213757.tif 000008